(57)【特許請求の範囲】
【請求項１】
内側圧力部材を含み、前記内側圧力部材を外側圧力部材に係合および解放させるべく移動可能で、前記内側圧力部材が係合されるときニップを画定するベルトロール式定着モジュールと、
前記ベルトロール式定着モジュールに設けられた固定点であって、前記内側圧力部材が係合されるとき前記ニップの荷重ベクトルの経路内に置かれる固定点に取り付けられている固定部材と、
を含み、前記固定部材は、前記内側圧力部材に設けられた前記固定点に固定する係合部に蝶番を介して接続された取手を含み、
前記蝶番の軸は、前記内側圧力部材の長軸に実質的に直交する、
ベルトロール式定着システム。
【請求項２】
請求項１に記載のベルトロール式定着システムであって、さらに、
外側圧力部材と、前記内側圧力部材が係合されるとき前記外側圧力部材および前記内側圧力部材により画定される前記ニップとを含むベルトロール式定着メインフレームを含む、ベルトロール式定着システム。
【請求項３】
顧客による保守が可能なベルトロール式定着器であって、
内側圧力部材を含み、移動可能で外側圧力部材と係合および解放するベルトロール式定着モジュールであって、前記ベルトロール式定着モジュールが係合するとき前記内側圧力部材が定着ニップを画定するベルトロール式定着モジュールと、
前記ベルトロール式定着モジュールを移動させて前記モジュールを前記外側圧力部材に係合および解放する固定具であって、内側圧力部材上の中心縦軸に取り付けられる固定具と、
を含み、前記固定具は、前記内側圧力部材に設けられた固定点に固定する係合部に蝶番を介して接続された取手を含み、
前記蝶番の軸は、前記内側圧力部材の長軸に実質的に直交する、
ベルトロール式定着器。
【請求項４】
請求項３に記載のベルトロール式定着器であって、さらに、
ベルトロール式定着器のメインフレームであって、前記ベルトロール式定着モジュールが当該ベルトロール式定着器のメインフレームに係合するとき、前記内側圧力部材と前記定着ニップを画定する外側圧力部材を含むベルトロール式定着器のメインフレームを含む、ベルトロール式定着器。
【請求項５】
請求項３に記載のベルトロール式定着器であって、さらに、
ベルト部材、清掃部材、および引張部材のうちの少なくとも１つの部材と、を含むベルトロール式定着器。
【請求項６】
加熱された前記ベルト部材、加熱された前記清掃部材、および加熱された前記引張部材のうちの少なくとも１つの部材をさらに含む、請求項５に記載のベルトロール式定着器。
【請求項７】
前記ベルト部材、前記清掃部材、および前記引張部材は回転可能な円筒形ロールである、請求項５に記載のベルトロール式定着器。
【請求項８】
前記内側圧力部材は前記中心縦軸の周りを回転する円筒形のロールである、請求項３に記載のベルトロール式定着器。
【請求項９】
前記固定具が固定点でベルトロール式定着モジュールに取り付けられ、前記固定点は内側圧力部材の中心縦軸の周りに接して置かれる、請求項３に記載のベルトロール式定着器。
【請求項１０】
前記ベルトロール式定着モジュールが前記ベルトロール式定着器のメインフレームに係合すると、これにより前記内側圧力部材および前記外側圧力部材が前記定着ニップを画定し、ニップ荷重ベクトルが前記固定点と交差する、請求項９に記載のベルトロール式定着器。
【発明の詳細な説明】
【技術分野】
【０００１】
本開示はベルトロール式定着器を固定する方法、装置、およびシステムに関する。詳細には、本開示はベルトロール式定着器のフレームのねじれ、および変形を抑え効率的に定着ベルトを走行させることができる、ベルトロール式定着モジュールを固定する方法およびシステムに関する。
【背景技術】
【０００２】
従来のベルトロール式定着器の固定システムは、単一の取付け点および／または枢着点を含む固定機構を備え得る。ベルトロール式定着モジュールは、ベルトロール式定着システムのメインフレームに固定されて圧力ロールと係合し、共に定着器ニップを画定する。従来のシステムでは、この取付け点は圧力ロールのニップ荷重ベクトルと一致しない。ベルト式定着システムは、ベルトロールとフレームの歪みによる位置ずれの影響を非常に受け易く、このような構成ではベルトモジュールのねじれ、およびフレームの変形が発生し、定着ベルトの走行に支障をきたす可能性がある。位置ずれを防止する従来の方法では、ベルトモジュールにねじり剛性を付加してベルトモジュールのねじれを制限し位置合わせ基準に対応している。
【発明の概要】
【発明が解決しようとする課題】
【０００３】
重要なロールとロールの位置合わせを保ち、ベルトを効率的に走行させ、ベルトロール式定着器の構成部品が容易に機能できる効果的でコスト効率の良いベルトロール式定着システムが望まれる。
【課題を解決するための手段】
【０００４】
典型的な実施形態では、ベルトロール式定着システムはベルトロール式定着モジュールを備えることができ、このシステムは外側圧力部材を含むベルトロール式定着器のメインフレームを備える。ベルトロール式定着モジュールは内側圧力部材および少なくとも１つの加熱されたベルト搬送部材を含むことができ、移動可能で内側圧力部材をベルトロール式定着器のメインフレームの外側圧力部材と係合および解放させ、内側圧力部材と外側圧力部材は係合点においてニップを画定する。ベルトロール式定着モジュールは、係合点においてモジュールをメインフレームに固定するための少なくとも１つの固定点を有することができる。ベルトロール式定着モジュールを移動させて内側圧力部材と外側圧力部材を解放および係合させるための固定部材を固定点に取り付けることができ、内側圧力部材が外側圧力部材と係合するとき、固定点はニップの荷重ベクトルの経路内に置かれる。
【０００５】
典型的な実施形態において、顧客による保守が可能なベルトロール式定着器は、顧客による取り替えが可能な外側圧力部材を含むベルトロール式定着器のメインフレームを備えることができる。顧客による保守が可能なベルトロール式定着器は、内側圧力部材、ベルト部材、清掃部材、および引張部材を含むベルトロール式定着モジュールを含むことができ、これらのベルト部材、清掃部材、および引張部材のうちの少なく１つは加熱される。ベルトロール式定着モジュールはベルトロール式定着器のメインフレームと係合するよう構成され、ベルトロール式定着モジュールがベルトロール式定着ユニットのメインフレームに係合すると内側圧力部材と外側圧力部材は定着ニップを画定する。ベルトロール式定着モジュールをベルトロール式定着器のメインフレームに係合させるために固定具を用いることができ、この固定具を固定点にてベルトロール式定着モジュールに取り付ける。固定点は内側圧力部材の中心縦軸の周りに置かれる。
【０００６】
典型的な実施形態において、ベルトロール式定着モジュールを固定する方法で、ベルトロール式定着モジュールの内側圧力部材をベルトロール式定着器のメインフレームの外側圧力部材に係合させて定着ニップを画定し、固定点にてベルトロール式定着モジュールをメインフレームに固定することができる。固定点は内側圧力部材の縦軸の周りに置くことができる。詳細には固定点を内側圧力部材の中心縦軸の周りに置くことができる。別の実施形態では、固定点をどの場所にも置くことができ、これによりニップの荷重経路は固定点と交差する、すなわち固定点はニップの荷重経路内に位置する。
【０００７】
以下、典型的な実施形態を説明する。本明細書に記載される方法、装置、およびシステムの特徴を組み込んだ全てのシステムは、典型的な実施形態の精神および範囲に包含されることは言うまでもない。
【図面の簡単な説明】
【０００８】
【図１】典型的な実施形態によるベルトロール式定着器のメインフレームの外側圧力部材と係合した内側圧力部材を含むベルトロール式定着モジュールの側面図である。
【図２】典型的な実施形態によるベルトロール式定着モジュールの側面斜視図である。
【図３】典型的な実施形態によるベルトロール式定着モジュールの側面斜視図である。
【図４】ベルトの走行に対するモジュールのねじれの影響の観察結果を示すグラフである。
【発明を実施するための形態】
【０００９】
典型的な実施形態は、本明細書に記載された方法、装置、およびシステムの精神および範囲に含まれ得る全ての代替案、変更、および同等案に及ぶことを意図する。
【００１０】
ベルトロール式定着モジュールをベルトロール式定着システムのベルトロール式定着器のメインフレームに固定する方法、装置、およびシステムを容易に理解するために図面を参照する。図面では、全体にわたって同じ参照符号を用いて類似または同一の要素を指定する。図面には、ベルトロール式定着モジュールをベルトロール式定着器のメインフレームに固定する装置、システムおよび方法の実例の実施形態に関連する種々の実施形態およびデータが示されている。
【００１１】
実施形態の装置およびシステムには、記録材料を下地に定着させることで画像を下地にプリントするシステムが含まれ得る。典型的な下地には、巻き取り紙などの巻き取り媒体が含まれ得る。あるいはまた、ベルトロール式定着器の固定ニップまたは定着ニップにカットシートを供給するようにシステムを構成してもよい。
【００１２】
従来のベルトロール式定着システムはベルトロール等のベルト部材の位置ずれの影響を受けやすく、それにより定着ベルトの進行に支障をきたす。また従来のベルトロール式定着システムは、フレームの歪みによる位置ずれの影響も受け易い。例えば、従来システムでは、ベルトロール式定着モジュールが圧力部の軸に沿ってない固定点にて固定され得る。このような構成では、ベルトロール式定着モジュールにねじれが発生し、位置ずれに繋がる可能性がある。この問題に対処する従来の方法は、ねじり剛性量をベルトモジュールに付加してフレームのねじれを抑えている。
【００１３】
したがって、実施形態の方法では、圧力部の軸に沿った単一の固定点でベルトロール式定着モジュールをベルトロール式定着器のメインフレームに固定する。具体的には、実施形態ではベルトロール式定着モジュールを内側圧力部材の縦軸上にて固定する。方法、装置、およびシステムの実施形態において、ベルトロール式定着モジュールの内側圧力部材は加熱ランプを含まなくてよい。ベルトロール式定着モジュールは、定着ベルトを搬送させる複数の部材のうちの少なくとも１つにより熱を供給され得る。複数の部材には、例えば、清掃部材、ベルト部材、およびステアリング部が含まれ得る。このステアリング部は、例えばベルトがベルトロール式定着モジュールのどちらかのサイドに向かって「ずれる」ことを防ぐことでベルトの位置合わせを保っている。これら複数の部材の中の１つ以上を加熱することができる。そのため、内側圧力部材は加熱されないよう、および／または、加熱ランプまたは他の熱源を含まないように構成でき、モジュールを内側圧力部材の軸上で固定できる。
【００１４】
ベルトロール式定着器において、適切なベルトの走行を制御するためには公差を厳しくしなければならないことが分かっている。移動可能なベルトロール式定着モジュールを備えるベルト式定着システムは保守に関して有利であるが、ニップの荷重経路と交差しない位置でモジュールがシステムのメインフレームに固定されると、フレームに歪みが生じ適切なベルトの走行がより以上に困難となる可能性がある。そのため、典型的な実施形態によるベルトロール式定着モジュールは内側圧力部材を含み、ベルト式定着モジュールがメインフレームに固定されると、この内側圧力部材をベルト式定着器のメインフレームの外側圧力部材に係合させることができる。すなわちベルトロール式定着モジュールの内側圧力部材がベルト式定着器のメインフレームの外側圧力部材とニップを画定するように、ベルトロール式定着モジュールが取り付けられる。ベルトロール式定着モジュールをベルト式定着器のメインフレームから固定解除して、モジュールの内側圧力部材および他の構成部品をメインフレームから解放できるよう構成することが可能である。このような構成により、ベルトロール式定着器は簡単に保守できるようになる。
【００１５】
ベルトロール式定着モジュールはそれ以外に、定着ベルトの搬送、清掃、走行等を円滑にする部材を含むことができる。それらの部材には、清掃ロール、ベルトロール、およびステアリング・ロールが含まれ得る。これらの各部材と内側圧力部材は中心縦軸、例えば円筒形ロールが周りを回転する軸、すなわち回転軸を含むことができる。適切なベルト走行の制御を確保するため、部材の軸は厳しい公差内に保たれなければならない。
【００１６】
移動可能なベルトロール式定着モジュールを取り付けてメインフレームに固定し、内側圧力部材が外側圧力部材に係合して定着ニップを画定するとき、ベルトロール式定着器のフレームはねじれまたは歪む可能性がある。このねじれは、モーメントを作り出すニップ荷重により引き起こされ得る。このねじれにより、ステアリング部を最適化してその最大ステアリング角度で操作してもこのステアリング部がずれる定着ベルトを効率的に操作することを妨げられる程大幅な位置ずれが発生することがある。フレームのねじれによりこのような大幅な位置ずれが発生すると、ベルト式定着モジュールをメインフレームに固定すること以外の原因で発生する位置ずれに対して適切に対処することさえより困難になる可能性がある。それゆえ、ベルトモジュールのねじれ、および／またはフレーム歪みにより、ベルトの走行が完全に停止する可能性がある。
【００１７】
それでもなお、定着器のメインフレームに固定、固定解除のできるモジュールを備えるベルトロール式定着器は、その保守等に関して有利である。モジュールの固定を解除してベルトロール式定着システムのメインフレームから取り外すことにより、ユーザーがベルトロール式モジュールを備えるベルトロール式定着器を保守することができる。モジュールを取り外せることで、ベルトロール式定着器の部材に手が届く。例えば、外側圧力部材を交換式にすることができる。またベルトロール式定着モジュールの内側圧力部材や定着ベルトも交換式にすることができる。ベルトロール式定着システムのその他の構成部品、例えばベルトロール式定着モジュールの清掃部材に隣接するウェブ・クリーニング・システムなども交換式にすることができる。ベルトロール式定着システムは、ベルトロール式定着モジュールをベルトロール式定着システムのメインフレームから固定解除し、取り外せるよう構成される。これにより、上記の１つ以上の交換式の構成部品に手が届く、そして何よりもベルトロール式定着システムが必要とし得るその他の保守が可能となる。
【００１８】
典型的な実施形態によるベルトロール式定着システムを図１に示す。詳細には、図１はベルトロール式定着システム１００を示す。ベルトロール式定着システム１００はベルトロール式定着モジュール１０１を備えることができる。ベルトロール式定着モジュール１０１を、ベルトロール式定着システム１００のメインフレーム部分１０２に固定、固定解除できるよう構成することができる。ベルトロール式定着器のメインフレーム１０２は外側圧力部材１１０を含むことができ、ベルトロール式定着モジュール１０１は内側圧力部材１２０を含むことができる。ベルトロール式定着モジュールが固定位置内のとき、すなわちベルトロール式定着モジュールのメインフレーム１０２に固定されると、内側圧力部材１２０が外側圧力部材１１０と係合して定着ニップを画定できる。ベルトロール式定着モジュール１０１をメインフレーム１０２から固定解除すると、ベルトロール式定着モジュール１０１をメインフレーム１０２から取り外し、これにより構成部品に手が届き、保守やベルトロール式定着システム１００の構成部品の交換が可能になる。
【００１９】
外側圧力部材１０１は取り外し可能にすることができる。従って、ベルト式定着モジュール１０１がベルトロール式定着器のメインフレーム１０２から取り外されると、外側圧力部材１１０に手が届き、清掃および／または保守ができる。例えば、外側圧力部材材１１０は顧客による取り替えが可能になる。
【００２０】
外側圧力部材１１０は圧力ロール冷却システムと連動することができる。例えば、図１には外側圧力部材１１０の下に位置する圧力ロール冷却システム１１７が示されている。圧力部監視装置１１９を設け、圧力部１１０を監視するよう構成できる。例えば、監視装置１１９を接触サーミスタ等のサーミスタにすることができる。
【００２１】
図１に示す通り、内側圧力部材１２０は外側圧力部材１１０と係合して、定着ニップを形成することができる。ベルトロール式モジュール１０１がベルトロール式定着システム１００のメインフレーム１０２に固定されると定着ニップが形成され得る。
【００２２】
ベルトロール式定着モジュール１０１は複数のベルト部材を含むことができる。ベルト部材は例えば縦方向等の軸の周りを回転し、定着ベルトの走行を助けることができる。ベルト部材はロールでよく、ベルトが複数の部材および内側圧力部材の周りを走行するとき、これらのロールがベルトを支持、清掃および／または操作する。例えば図１には、内側圧力部材１２０を含んだベルトロール式モジュール１０１が示され、ベルトロール式モジュール１０１が取り付けられて内側圧力部材１２０がベルトロールのメインフレーム１０２の外側圧力部材１１０と係合する。図１に示す内側圧力部材１２０は、例えば中心縦軸１２１等の縦軸の周りを回転する円筒形の部材である。
【００２３】
ベルトロール式モジュール１０１は清掃部材１２７を含むことができ、ベルトロール式モジュール１０１を取り付けて内側圧力部材１２０がベルト式定着システム１００のメインフレームの外側圧力部材１１０と係合するとき、内側圧力部材１２０がこの清掃部材１２７と外側圧力部材１１０の間になるように清掃部材１２７が取り付けられる。清掃部材１２７は回転可能な部材であってよく、ベルトを支持しその走行を助ける。例えば、清掃部材１２７はその中心縦軸の周りに回転可能な円筒形のロール等のロールであってよい。清掃ロール１２７を、例えばウェブ・クリーニング・システムまたはベルト清掃システムと連動させることができる。ウェブ・クリーニング・システムは、ベルトロール式定着システムのウェブまたはベルトの清掃を助ける複数の部材を含むことができる。ウェブ・クリーニング・システムは顧客による取り替えを可能とすることができ、例えばベルトロール式定着モジュール１０１の固定、固定解除の操作等によりこの取り換えを容易に行うことができる。内側圧力部材１２０を計量システムと連動させることができる。計量システムは、ロール紙などの１つ以上の計量部材を含むことができる。
【００２４】
図１のベルトロール式定着モジュール１０１はベルト部材１３０を含むことができる。ベルト部材１３０は回転可能であってよい。例えば、ベルト部材１３０は、その中心縦軸の周り回転可能な円筒形のロール等のロールであってよい。ベルトロール式モジュール１３０は引張部材１３３を含むことができる。引張部材１３３は、その中心縦軸の周り回転可能な円筒形のロール等のロールでよい。引張部材１３３はベルト張力調整装置と連動することができる。引張部材１３３を、ベルトの走行および操作に対応するよう構成することができる。清掃部材１２７、ベルト部材１３０、および引張部材１３３の各部材を加熱させることができる。例えば、引張部材１３３は加熱素子１３５を含むことができる。１つ以上のベルトロール式モジュール１０１の部材を、それぞれ別の監視装置１４０により監視することができる。例えば、監視装置は接触サーミスタ等のサーミスタでよい。
【００２５】
内側圧力部材１２０、清掃部材１２７、ベルト部材１３０および引張部材１３３の各部材を、ベルト１４３を搬送するよう構成できる。ベルト１４３は回転可能な部材の周りを移動できる。ベルト１４３は交換式でよい。例えば、ベルトロール式定着モジュール１０１の構成部品に手が届くようにベルト式定着モジュール１０１を位置させることができ、これにより例えばベルト１４３はユーザーによる交換が可能になる。ベルト用サーミスタ（図示せず）をベルト１４３の周りに配置できる。
【００２６】
ベルト１４３はニップを通過でき、このニップは例えばベルトロール式モジュール１０１がメインフレーム１０２に固定されるときに、ベルトロール式モジュール１０１の内側圧力部材１２０と外側圧力部材１１０により画定される。定着工程の後の処理を行う構成部品をニップの周り、詳細にはニップの出口の周りに配置してよい。例えば、空気ナイフ１４５をニップの出口に配置できる。ストリップシュー等の他の構成部品をニップの出口に配置できる。出口センサ１５０を定着ニップの出口に配置できる。定着した画像をのせた基板が定着ニップから出た後、定着器に続く搬送システム１５５により搬送できる。
【００２７】
固定点を内側圧力部材１２０の中心縦軸１２１に置くことができる。この固定点にてベルトロール式定着モジュール１０１に固定部材を取り付けることができる。モジュール１０１が移動して、内側圧力部材１２０と外側圧力部材１１０が係合および解放するよう固定部材を構成することができる。したがって、内側圧力部材１２０の中心縦軸１２１の周りに固定点が置かれるため、ニップの荷重経路１５７等のニップの荷重経路が固定部材の取付け位置と交差するようにベルトロール式モジュール１０１をベルトロール式定着器のメインフレーム１０２に固定できる。
【００２８】
図２は、典型的な実施形態によるベルトロール式定着モジュールの側面斜視図である。図２のベルトロール式定着モジュール２０１は内側圧力部材２２０を含むことができる。内側圧力部材２２０はそのほぼ中央に全長に沿って延在する縦軸を含み、この縦軸の周りを回転するよう構成できる。
【００２９】
ベルトロール式モジュール２０１は清掃部材２２７を含むことができる。詳細には、ベルトロール式モジュール２０１がメインフレームに固定され、内側圧力部材２２０と外側圧力部材が係合してニップを画定するとき、内側圧力部材２２０がベルトロール式定着システムのメインフレームの外側圧力部材と清掃部材２２７の間になるよう（図２に図示せず）清掃部材２２７を取り付けることができる。
【００３０】
ベルトロール式モジュール２０１は、ベルト部材２３０および引張部材２３３を含むことができる。内側圧力部材２２０、清掃部材２２７、ベルト部材２３０、および引張部材２３３によりベルトを搬送できる。清掃部材２２７、ベルト部材２３０、および／または引張部材２３３を加熱することができ、部材の全長に沿って延在する中心縦軸を含みその周りを回転する。
【００３１】
ベルトロール式モジュール２０１はフレームを含み、ベルトロール式モジュール２０１の部材を支持することができる。このフレームは、第１のサイドフレーム２４１および第２のサイドフレーム２４４を含むことができる。図２には、内側圧力部材２２０、清掃部材２２７、ベルト部材２３０、および引張部材２３３のうちの少なくとも１つの部材を支持するよう構成された第１のサイドフレーム２４１が示されている。例えば、第１のサイドフレーム２４１は内側圧力部材２２０の端と隣接する。第２のサイドフレーム２４４を内側圧力部材２２０の反対側の端と隣接するよう配置できる。フレームは、ベルトロール式定着モジュール２０１の部材に対してフレーム、支持、および／または取付け点を提供するのに適した現在周知または今後開発される全ての形状または形態、および全ての材料を含むことができる。
【００３２】
図２には、固定部材２４７を含む固定機構が示されている。ここで示されている通り、固定部材２４７は蝶番および円筒形の取手を含むことができる。固定部材２４７をベルトロール式定着モジュール２０１のフレームの一部分と内側圧力部材２２０に取り付けることができる。
【００３３】
別の実施形態では、固定機構が内側圧力ロールを含むことができ、この内側圧力ロールはシャフトを含み、このシャフトはベルトモジュールを固定するときにＶブロック上に置かれる。このシャフトを例えば、留め具、カム、止めねじ等を用いてロックすることができる。
【００３４】
その他の固定機構の中には、中空軸を有する内側圧力部材を含むことができる。１つ以上のシャフトの端から内部スプリングによってピンを突き出させることができる。このピンはソリッドピンであってよい。モジュールがメインフレームと係合するときモジュールをロックするようピンを構成できる。例えば、モジュールを係合点へ向けて動かすときベルトロール式定着システムのメインフレームに取り付けられた軸受によってピンを受けることができる。取手、ケーブル、またはソレノイド機構を含むことのできる引っ込み機構によりピンを引っ込ませることができる。さらに別の実施形態では、メインフレーム上に取り付けることができる内側圧力ロールが中空軸および止めピンを含むことができ、モジュールが取り付けられると内側圧力部材の中空軸と連結する。
【００３５】
実施形態では、固定機構はベルトロール式定着モジュールとメインフレームを係合および解放させる単一のレバーで操作できる固定システムであり得る。固定機構は、例えば取手等の固定部材を回転させることにより作動するインボードピンとアウトボードピンを含むことができる。操作者が取手を９０°回転させて、インボードピンとアウトボードピンはピンソケットから外すことができる。取手を回転させて保守できる位置でこの取手をロックするよう固定機構を構成することができる。したがって、ベルトロール式定着システムを保守できるようにモジュールを解放位置にロックすることができる。モジュールを係合させ、固定位置に戻すために、操作者はサムスライド等を動かしてロックされた取手を解放し、取手を稼働（固定）位置まで９０°回転させることができる。
【００３６】
図２は、固定部材２４７をベルトロール式定着モジュール２０１に取り付けることができる点である固定点２４９を示す。固定点は内側圧力部材２２０の中心縦軸の周りに置かれる。このような配置により、内側圧力部材２２０の軸上でベルトロール式定着モジュール２０１をメインフレームに固定することができ、これにより固定点がニップの荷重経路内に位置することが保証される。例えば、固定点２４９を図２の内側圧力部材２２０のロール軸と対応する点に置くことができる。固定点２４９が圧力ロールのニップ荷重ベクトルと一致すると、それによりニップの荷重経路に対応し、ベルトモジュールのねじれ、または変形の可能性を削減できる。例えば、ニップ荷重によるモーメントおよびその結果生じるベルトモジュールのねじれを大幅に削減できる。
【００３７】
図３は、典型的な実施形態によるベルトロール式定着モジュール３０１の斜視図である。図３のベルトロール式定着モジュール３０１は内側圧力部材３２０を含むことができる。内側圧力部材３２０はその中心の全長に沿って延在する縦軸を含み、その周りを回転するようを構成することができる。
【００３８】
ベルトロール式モジュール３０１は清掃部材３２７を含むことができる。具体的にはベルトロール式モジュール３０１がメインフレームに固定され、内側圧力部材３２０と外側圧力部材が係合してニップを画定するとき、内側圧力部材３２０がベルトロール式定着システムのメインフレームの外側圧力部材（図３に図示せず）と清掃部材３２７の間になるように清掃部材３２７を取り付けることができる。
【００３９】
ベルトロール式モジュール３０１はベルト部材３３０と引張部材３３３を含むことができる。内側圧力部材３２０、清掃部材３２７、ベルト部材３３０、および引張部材３３３によりベルトを搬送できる。清掃部材３２７、ベルト部材３３０、および／または引張部材３３３加熱することができ、部材の全長に沿って延在する中心縦軸を含みその周りを回転する。
【００４０】
ベルトロール式モジュール３０１はフレームを含み、ベルトロール式モジュール３０１の部材を支持することができる。このフレームは、第１のサイドフレーム３４１および第２のサイドフレーム３４４を含むことができる。図３には、内側圧力部材３２０、清掃部材３２７、ベルト部材３３０、および引張部材３３３のうちの少なくとも１つの部材を支持するよう構成された第１のサイドフレーム３４１が示されている。例えば、図３において第１のサイドフレーム３４１は、回転可能な部材の第１の側面に配置され、第１のサイドフレーム３４１は内側圧力部材３２０の端と隣接する。同じように、第２のサイドフレーム３４４を内側圧力部材３２０の反対側の端と隣接するよう配置できる。フレームは、ベルトロール式定着モジュール３０１の部材に対してフレーム、支持、および／または取付け点を提供するのに適した現在周知または今後開発される全ての形状または形態、および全ての材料を含むことができる。
【００４１】
図３には、固定部材３４７が示されている。ここで示されている通り、固定部材３４７は蝶番および円筒形の取手を含むことができる。別の実施形態では、固定機構が内側圧力ロールを含むことができ、この内側圧力ロールはシャフトを含み、このシャフトはベルトモジュールを固定するときにＶブロック上に置かれる。このシャフトを留め具、カム、止めねじ等を用いてロックすることができる。
【００４２】
その他の固定機構の中には、中空軸を有する内側圧力部材を含むことができる。１つ以上のシャフトの端から内部スプリングによってピンが突き出してよい。このピンはソリッドピンであってよい。モジュールがメインフレームと係合するときモジュールをロックするようピンを構成できる。例えば、モジュールを係合点へ向けて動かすときベルトロール式定着システムのメインフレームに取り付けられた軸受によってピン受けることができる。取手、ケーブル、またはソレノイド機構を含むことのできる引っ込み機構によりピンを引っ込ませることができる。さらに別の実施形態では、メインフレーム上に取り付けることができる内側圧力ロールが中空軸および止めピンを含むことができ、モジュールが取り付けられると内側圧力部材の中空軸と連結する。
【００４３】
実施形態では、固定機構はベルトロール式定着モジュールとメインフレームを係合および解放させる単一のレバーで操作できる固定システムであり得る。固定機構は、取手等の固定部材を回転させることにより作動するインボードピンとアウトボードピンを含むことができる。操作者が取手を９０°回転させて、インボードピンとアウトボードピンはピンソケットから外すことができる。取手を回転させて保守できる位置でこの取手ロックするよう固定機構を構成することができる。したがって、ベルトロール式定着システムを保守できるようにモジュールを解放位置にロックすることができる。モジュールを係合させ、固定位置に戻すために、操作者はサムスライド等を動かしてロックされた取手を解放し、取手を稼働（固定）位置まで９０°回転させることができる。
【００４４】
固定部材３４７を内側圧力部材３２０の中心縦軸、すなわち内側圧力部材３２０の回転軸の周りに対応する位置に取り付けることができる。このような配置により、内側圧力部材３２０の軸上でベルトロール式定着モジュール３０１をメインフレームに固定することができ、これにより固定点がニップの荷重経路内に位置することが保証される。例えば、固定点を図３の内側圧力部材３２０のロール軸に対応する点に置くことができる。固定点が圧力ロールのニップ荷重ベクトルと一致すると、それによりニップの荷重経路に対応し、メインフレームと係合するときのベルトモジュールのねじれ、または変形の可能性を削減できる。例えば、ニップ荷重によるモーメントおよびその結果として生じるベルトモジュールのねじれを大幅に削減できる。
【００４５】
ベルトロール式定着器のベルト走行を模擬実験して検証した結果、ロールとロールの位置合わせを一定の公差内に保って、組立体の位置ずれ、およびベルトロール式モジュールのフレームの歪みまたは変形による位置ずれを最小限にしなければならないという結論を得た。実験に使用されたベルトロール式定着モジュールは内側圧力部材を備え、この内側圧力部材は中心縦軸または回転軸すなわちロールベアリングの中心を含んだ。実験されたベルトロール式定着器は清掃ロールを備え、この清掃ロールはベルトロール式定着モジュールの底部に対して内側圧力ロールの上（すなわち、ベルトロール式定着モジュールをメインフレームに固定するとき、モジュールの中で最もベルトロール式定着器のメインフレームに近い部分）に位置した。清掃ロールは、圧力ロールとベルトロールの間に置かれた。固定具はベルトロール式定着モジュールの内側圧力部材に近い位置に取り付けられた。
【００４６】
模擬実験の検証により、独自のベルト走行模型を模擬実験した結果から期待値を分析して、ベルトの走行性能を最大限に高めると共にコストを制限した。例えば、ロールベアリングの中心をより厳しい公差内に保つことはコストの増加につながる。この検証により、ベルト部材ロールと清掃部材ロールの位置合わせは＋／−０．５ｍｍ内に保たれなければならないことが結論付けられた。清掃部材は、公差の厳しい方向では＋／−０．２５ｍｍの公差内に保たれなければならないことが結論付けられた。例えば、図３の典型的な清掃部材３２７を参照して説明すると、清掃部材は、公差が厳しい方向すなわち回転可能な清掃部材３２７の中心縦軸から、清掃部材３２７の面を搬送されるベルトが露出している方向（図３から見ることができる方向）に関して＋／−０．２５ｍｍの公差内に保たれなければならないことが結論付けられた。ステアリング部は、ステアリング部の回転縦軸の中心または遊び等から＋／−０．５ｍｍの公差内に保たれなければならないことも結論付けられた。
【００４７】
実験されたベルトロール式定着器は、ニップ荷重が掛かっていないときは、定着ベルトが前後に走行するよう構成され、固定具は内側圧力部材に近い位置に取り付けられた。外側圧力ロールが係合すると、モーメントを作るニップ荷重によりフレームがねじれ、歪み、および／または変形し、ステアリング部が定着ベルトをその最大ステアリング角度で操作しても定着ベルトは絶え間なくずれることが明らかとなった。独自のベルト走行模型を用いてベルトモジュールのねじれによるベルト走行への影響を模擬実験した結果、他の原因による位置ずれがなければ、ベルトが走行する範囲は限界ぎりぎりであることが分かった。つまり、ロールとロールの位置ずれ以上の位置ずれの原因により発生した場合に、ベルトの走行が完全に停止する可能性がある。
【００４８】
実施形態による、内側圧力部材の中心縦軸上でベルトロール式モジュールをメインフレームに固定させることにより、ニップの荷重経路が固定点と交差し、フレームのねじれが大幅に最小化または解消される。圧力部の荷重により発生するねじれによるベルトモジュールのベルト走行への影響を表すデータを図４に示す。詳細には、図４には歪みの増幅対ずれ率に基づいた、モジュールのねじれによるベルトの走行への影響が示されている。図４によると、ベルトロール式定着モジュールの位置をほぼ完璧に合わせてモジュールの歪みを測定しても、ベルトの走行が停止する可能性がある。実際に歪みが５０％まで増幅するとベルトは走行できなくなり、ベルトは絶え間なくずれる。例えば適切なベルトの走行を保証するために、歪みを約０．２５ｍｍより小さく抑えなければならない。典型的な実施形態に従って、内側圧力部材の中心縦軸の近く、またはニップの荷重経路が固定点と交差する点に固定点を置くことによってベルトモジュールをフレームに固定することで、フレームのねじれは最小限になる。
【００４９】
典型的な実施形態に関連付けながら、ベルトロール式定着モジュールをベルトロール式定着器のメインフレームに固定する方法、装置、およびシステムを説明したが、種々の代替案、修正および変更は当業者にとって明らかである。したがって、本明細書に記載された方法、装置、およびシステムの実施形態は、説明を意図したものであり、これに限定されない。種々の変更は、典型的な実施形態の精神および範囲を逸脱することなしに行うことができる。
【００５０】
種々の上記およびその他の特徴および機能、またはその代替案は、は多くの異なるシステムまたは用途に組み合わせることができることが望ましいことは明らかであろう。また、現在は予測または予期しない代替案、修正、変更またはその改良も当業者により今後行われ得る。
【図１】
0005804954.tif 000002
【図２】
0005804954.tif 000003
【図３】
0005804954.tif 000004
【図４】
0005804954.tif 000005